(57)【要約】【課題】  複数枚の単票紙を冊子状とした場合に、確実に頁を繰ることができるようにすると共に、背表紙に見出しを記入できるようにして、書棚等に立てて保管した場合に保管された内容を容易に視認できるようにする。【解決手段】  扇状に開閉可能に単台紙2aにより構成した台紙部２と、該台紙部２を、鈎部材４を介して着脱自在に保持するフォルダ主体３とを備えている。単台紙2aは、整理すべき単票紙５の一辺とほぼ等しい長さを長手方向とし、その幅員を該単票紙５の端部を貼着するのに適宜な大きさとする。単台紙2aの表裏面に単票紙５を貼着すると共に、これらの単票紙５同士を貼着する。それぞれの単台紙2aに単票紙５を貼着すると、その台紙部２によって冊子が形成される。この冊子を鈎部材４によってフォルダ主体３の背表紙32に保持させる。【選択図】        図１
2005053140.tif 000002
【特許請求の範囲】
【請求項１】
一端部が貼着されて、該貼着端部から一方向に伸張させた複数の単台紙が扇状に開閉する台紙部と、
表表紙と背表紙と裏表紙を有するフォルダ主体と、
前記背表紙に設けた係止部と、
前記係止部に係脱自在な鈎部材とからなり、
前記単台紙は、整理すべき単票紙の一辺の長さとほぼ等しい長さと適宜な幅員の帯状で、該単台紙の両面のそれぞれに単票紙の端縁を貼着でき、
前記台紙部に前記鈎部材を掛止させ、該鈎部材を前記係止部に係合させた状態で、前記台紙部が前記フォルダ主体に係止されることを特徴とする単票紙整理用フォルダ。
【請求項２】
前記台紙部の単台紙は、２枚の用紙を貼着して形成された複葉台紙であることを特徴とする請求項１に記載の単票紙整理用フォルダ。
【請求項３】
前記台紙部の単台紙は、単葉の用紙で形成された単葉台紙であることを特徴とする請求項１に記載の単票紙整理用フォルダ。
【発明の詳細な説明】
【技術分野】
【０００１】
この発明は、種々の情報が記録された単票紙を複数枚揃えた冊子にし、さらに該冊子を複数にして容易に整理することができると共に、該冊子を簡便に着脱することができる単票紙整理用フォルダに関する。
【背景技術】
【０００２】
例えば、楽譜は一般的に書店や楽器店等で冊子の形で販売されているが、最近ではインターネットの普及により、専用のインターネットサイトから入手することができる。また、民生機器等の各種装置の取扱説明書や仕様書等もインターネットの専用サイトから入手できる。このような楽譜や取扱説明書は、プリンタから出力された単票紙に印字されたものとして入手される。
【０００３】
例えば楽譜は、その楽曲についての順序に従って単票紙を揃えて整理する必要がある。これら単票紙を順番に揃えて綴じ具によって綴じ込んで冊子状にすることにより整理することもできるが、その楽曲の演奏を行う際には、綴じ具のために完全に見開くことができず、楽譜が見にくくなってしまうおそれがある。また、市販されているスクラップブックやスケッチブックに貼付して、完全に見開くことができるようにして保管することが行われている。
【０００４】
従来のこの種の単票紙整理用フォルダとして、特許文献１には楽譜貼付用台紙帳セットが記載されている。この楽譜貼付用台紙帳セットは、Ａ４又はＢ５サイズより縦横サイズが１０〜３０mm大きい面積に形成した台紙を複数枚オープン開閉可能に折り込み連綴して成る台紙綴と、Ａ４又はＢ５サイズの縦辺又は横辺の長さと略同じ長さに形成した帯状の両面貼着テープと、他の辺の長さから前記両面貼着テープの幅の２倍幅を減じた長さよりも５〜１０mm短尺とした両面貼着テープと、Ａ４又はＢ５サイズと略同形同大に形成された厚さ０．５〜１．５mmの透明な合成樹脂シート材とから成り、前記両面貼着テープが夫々前記台紙綴の楽譜貼着面の数の２倍かそれ以上の数が用意されて前記台紙綴並びに合成樹脂シート材と共に包装袋に収納されている構造と備えたものである。
【０００５】
【特許文献１】実開平５−３５３４１号公報
【発明の開示】
【発明が解決しようとする課題】
【０００６】
しかしながら、スクラップブック等は予め複数枚の単票紙が綴じ込まれた状態にあるため、楽曲によって余剰の単票紙が発生する。また、スクラップブックでは表紙に厚手の紙が用いられているが、貼付用紙には薄手の紙が用いられているため、該貼付用紙に楽譜を貼付した場合、貼付用紙が波打った状態に撓んでしまい、演奏中に誤って複数枚の貼付用紙を繰ってしまうおそれがあった。他方、スケッチブックでは貼付用紙が厚手の紙であるため、頁を繰る際の不都合は生じにくいが、該スケッチブックには背表紙が存しないため、立てて保管した状態で見出しを露呈させることができず不便である。
【０００７】
また、前記単票紙整理用フォルダは、いわゆる屏風状に折り込まれた台紙綴に楽譜を貼付するものであるので、譜面台等に載置させて頁を繰る際に、折曲部が開いてしまい、台紙綴の取り扱いが煩雑となる。しかも、背表紙がないため見出しを記入することができず、保管された状態から希望の楽譜を取り出す際に不便である。
【０００８】
そこで、この発明は、立てた状態で保管した場合に背表紙に見出しを記入して保管された内容物を視認することができ、また、楽曲ごとに冊子にまとめ、該冊子を脱着自在とすることができるようにし、頁を繰る場合にも確実に１枚ずつ繰ることができるようにした、単票紙整理用フォルダを提供することを目的としている。
【課題を解決するための手段】
【０００９】
前記の目的を達成するため、この発明は、一端部が貼着されて、該貼着端部から一方向に伸張させた複数の単台紙が扇状に開閉する台紙部と、表表紙と背表紙と裏表紙を有するフォルダ主体と、前記背表紙に設けた係止部と、前記係止部に係脱自在な鈎部材とからなり、前記単台紙は、整理すべき単票紙の一辺の長さとほぼ等しい長さと適宜な幅員の帯状で、該単台紙の両面のそれぞれに単票紙の端縁を貼着でき、前記台紙部に前記鈎部材を掛止させ、該鈎部材を前記係止部に係合させた状態で、前記台紙部が前記フォルダ主体に係止されることを特徴としている。
【００１０】
前記台紙部の単台紙に整理すべき単票紙の端部を貼着し、該単台紙の両面に貼着された単票紙を互いに貼付する。あるいは、単台紙の表裏のそれぞれに単票紙を貼着して、該単票紙を単台紙で挟んだ状態とする。これにより、単票紙は台紙部に保持された状態となる。この台紙部を、前記鈎部材と前記係止部とを介して、前記フォルダ主体に装着すれば、前記単票紙がフォルダ主体に保持される。保持された単票紙に記載された情報に関する見出しをフォルダ主体の前記背表紙に表示すれば、該フォルダ主体を書棚などに立てて保管した状態で、それに綴じ込まれている情報を視認することができる。
【００１１】
前記台紙部は複数の単台紙を備えているから、複数の単票紙を該台紙部に保持させることができる。このため、例えば一の楽曲に係る楽譜を一の台紙部に保持させて冊子として保管することができる。なお、台紙部一の楽曲の楽譜が貼着された残りの単台紙を切断すれば、該冊子は当該一の楽曲についてのものとなる。そして、この楽曲の演奏等をする場合には、フォルダごと譜面台に載置させても構わないし、前記鈎部材を係止部から解除して冊子となった譜面を譜面台に載置させて利用しても構わない。この冊子では、単票紙の大きさが揃えられており、単票紙が互いに貼付された状態で表裏面の頁が構成されている。したがって、適宜な厚さとなって、頁が波打つこともなく、譜面の頁を繰る際に確実に１枚ずつ繰ることができる。冊子の使用後には、元のフォルダ主体に前記鈎部材によって保持させればよい。
【００１２】
前記フォルダ主体の背表紙の幅員を大きくすることにより、前記係止部を複数箇所に設けることができる。このため、フォルダ主体には複数の冊子を保管させることができる。冊子が楽譜である場合、例えば作曲家ごとや楽曲の種類ごとにフォルダ主体を構成させることができる。
【００１３】
また、請求項２の発明に係る単票紙整理用フォルダは、前記台紙部の単台紙は、２枚の用紙を貼着して形成された複葉台紙であることを特徴としている。
【００１４】
例えば、整理すべき単票紙の長手方向の辺の長さと等しい長さの辺を備えた台紙部用紙を該辺に沿って山折りと谷折りを繰り返して蛇腹状に形成し、山折りの端部と谷折りの端部との間の対向面を、交互に接着すれば台紙部となる。この台紙部の単台紙は、２枚の用紙が貼着されたものとなる。この状態では、２枚の用紙が袋状となったものが、該袋状の内側面が貼着されたものとなっている。この場合、扇状の先端部が貼着された用紙同士が連続して、この連続部分が折曲された状態となるから、この単台紙に単票紙を貼着した場合、この連続部分が嵩張ってしまい、譜面などが扱いにくくなる場合がある。このため、扇状の先端部を切断して、前記連続部分を除去すれば好ましい。なお、幅方向の一端部を中心として扇状に開閉させることができるものとなる。
【００１５】
また、請求項３の発明に係る単票紙整理用フォルダは、前記台紙部の単台紙は、単葉の用紙で形成された単葉台紙であることを特徴としている。
【００１６】
この場合、単台紙となる単葉の用紙の幅方向の一端部同士を貼着すれば、台紙部を形成することができる。また、前記台紙部用紙を蛇腹状に折曲形成し、その幅方向の両端部をそれぞれ貼着し、幅方向の中央部で切断すれば、単葉の単台紙が扇状に開閉する台紙部を形成することができる。
【００１７】
この台紙部の単台紙は１枚で形成されているものとなる。また、この構造の台紙部は、両面印字された単票紙を貼付するのに適したものとなる。すなわち、両面印字された単票紙を単台紙で挟んで貼着する。これにより、単票紙の保持が確実となると共に、単票紙の両面を見ることができるようになる。
【発明の効果】
【００１８】
この発明に係る単票紙整理用フォルダによれば、台紙部に単票紙を貼付することにより、冊子に形成することができるから、楽譜や取扱説明書等のように、複数頁に渡って情報が記載した単票紙をまとめて保管することができる。しかも、フォルダ主体に着脱自在としたから、該フォルダ主体を書棚などに立てて背表紙を見せた状態で保管でき、背表紙に見出し等を記入することにより内容物の種類等を容易に視認することができる。
【００１９】
また、請求項２の発明に係る単票紙整理用フォルダによれば、台紙部の加工を容易に行うことができ、該台紙部に所望の剛性を備えさせることができる。
【００２０】
また、請求項３の発明に係る単票紙整理用フォルダによれば、単台紙の肉厚を小さくすることができ、単票紙を貼付した状態で不用意に厚くならず、冊子の綴じ部が厚くならない。このため、取り扱いが容易となる。
【発明を実施するための最良の形態】
【００２１】
以下、図示した好ましい実施形態に基づいて、この発明に係る単票紙整理用フォルダを具体的に説明する。
【００２２】
図１はこの単票紙整理用フォルダ１を示す斜視図であり、この単票紙整理用フォルダ１は、単台紙2aが扇状に開閉するように構成された台紙部２と、この台紙部２を保持するフォルダ主体３と、該台紙部２をフォルダ主体３に係脱自在に保持させる鈎部材４とを備えている。フォルダ主体３は、容易に破損したり折曲されたりすることのない厚手の紙や合成樹脂が素材とされ、表表紙31と背表紙32、裏表紙33とを備えている。背表紙32の表面には、紙製あるいは合成樹脂製で波板状に形成された係止部９が貼着されている。なお、この係止部９は、背表紙32と共に合成樹脂で一体成型したものでも構わない。また、この係止部９は背表紙32の全面に亙って設けられたものであっても、背表紙32の上下端部に適宜長さで設けられたものであっても、いずれであっても構わない。前記鈎部材４は、線材をヘアピン状に曲げ成形させて適宜な弾性を備えて、閉方向に蓄勢力が付与されるようにし、前記背表紙32の係止部９に係合した状態で、該背表紙32と前記台紙部２とを併せて挟持するようにしてある。
【００２３】
前記台紙部２の単台紙2aには楽譜や取扱説明書その他所望の情報が印刷された単票紙５が貼着される。台紙部２は、図２ないし図４に示すように、適宜な幅員で、単票紙５の一辺と等しい長さの単台紙2aが、その幅方向の一端部を貼着して、扇状に開閉できるようにしてある。この単台紙2aの両側面のそれぞれに単票紙５が貼着されると共に、それぞれの単票紙５同士も貼着させる。これにより、一の単台紙2aを挟んで２枚の単票紙５が貼着され１枚の状態となって、表裏に頁が存するものとなる。また、台紙部２のそれぞれの単台紙2aに単票紙５が貼着された状態で、該台紙部２に保持された単票紙５によって冊子が形成される。なお、単台紙2aのうちの外側に配されるものについては、一面にのみ単票紙５を接着し、該冊子の表表紙と裏表紙を形成し、これら表表紙と裏表紙に該冊子の内容を記載することもできる。また、前記台紙部２の外側に補強紙６を貼着させ、該補強紙６の外側に前記表表紙と裏表紙とを貼着する。この補強紙６を貼着することにより、台紙部２の強度が大きくなる。
【００２４】
以上により構成されたこの発明に係る単票紙整理用フォルダ１の使用方法を、以下に説明する。この単票紙整理用フォルダ１は、例えば、台紙部２とフォルダ主体１、鈎部材４、補強紙６とをセットとして販売し、利用者はこのセットを購入する。他方、利用者は、例えば楽譜を複数枚の単票紙５に記載されたものを所持している。一の楽曲に係る楽譜を一の台紙部２の単台紙2aに、接着剤或いは両面テープ等によって順次貼着する。このとき、単台紙2aの表面側に貼着される単票紙５と裏面側に貼着される単票紙５とを、該単台紙2aに貼着される端部を残して貼着する。次いで、単票紙５の貼着されずに残った端部を、単台紙2aの表裏面にそれぞれ貼着する。単台紙2aにトレーシングペーパのような半透明の用紙が用いられる場合には、単台紙2aに対応した単票紙５の端部が透けて見えるので、該単台紙2aに対して単票紙５を位置決めし易く好ましい。これにより、該一の単台紙2aに表裏頁が貼着された状態となる。そして、該一の台紙部２に当該楽曲の一連の楽譜を貼着する。このとき、例えば一の楽曲についての楽譜を貼着して冊子が構成されて、余剰の単台紙2aが生じた場合には、この余剰分を切断して除去する。楽譜が完成したならば、前記補強紙６を台紙部２の外側に貼着する。その後、その補強紙６に表表紙5aと裏表紙5bとを貼着すれば、その楽曲の冊子が完成する。上述した作業は、例えばＡ４版の片面に印字された単票紙５の場合であるが、Ａ３版の片面に印字された場合には、これを印字面を外側にして二つ折りし、両端部を前記単台紙2aの表裏に貼着すればよい。
【００２５】
前記完成された冊子の台紙部２を、前記フォルダ主体３の背表紙32の内側に位置させ、前記鈎部材４を背表紙32と台紙部２の扇状の要の部分に係合させる。これにより、鈎部材４によって背表紙32と台紙部２とが挟持され該冊子が主フォルダ３に保持された状態となる。この主フォルダ３は所望の厚さに形成できるので、複数の冊子を保持させることができ、例えば複数の楽曲の譜面の冊子を保持させることができる。そして、この主フォルダ３の背表紙32に保持させた冊子に関する情報、例えばその主フォルダ３に保持された楽譜に関して作曲者名や楽曲の種類などを記入すれば、該主フォルダ３を書棚などに立てた状態で保管しても、その内容物に関する情報を容易に視認することができる。
【００２６】
主フォルダ３に保管された冊子を取り出す場合には、前記鈎部材４を背表紙32及び台紙部２から抜き取れば、台紙部２を主フォルダ３から離脱させ、冊子を外すことができる。冊子が楽譜の場合には、演奏等で使用した後、主フォルダ３に再び保持させればよい。
【００２７】
図５及び図６は、前記台紙部２の構造に関する実施形態を説明する図である。図５に示す台紙部21は、１枚の台紙部用紙７を山折りと谷折りを繰り返して、同図(ａ)に示すように蛇腹状に折曲し、山折りの端部と谷折りの端部との中間部の対向した部分を貼着する。このとき、同図(ａ)に示すように、貼着する部分7aを交互とする。その後、この台紙部用紙７の幅方向の一方の端部で、切断線7bに沿って切断すれば、同図(ｂ)に示すように、２枚の用紙が貼着された単台紙2aが形成されることになる。この単台紙2aの基端部では、折曲部が隣接した状態となり、適宜な肉厚に形成される。他方、先端部では、切断されることにより折曲部が除去されたものとなる。すなわち、図５に示す実施形態では、単台紙2aが２枚の用紙が貼着された複葉台紙として構成されている。
【００２８】
図６に示す台紙部22は、同図(ａ)に示すように、蛇腹状に折り畳んだ台紙部用紙８を、その幅方向の両端部を貼着し、幅方向の中央部で切断線8aに沿って切断したものである。この場合には、単台紙2aは単葉の用紙からなる単葉台紙として構成される。この単葉台紙の単台紙2aの場合には、両面に印字された単票紙５を保持させるのに適した台紙部22となる。すなわち、図６(ｂ)に示すように、両面印字された単票紙５の端部を２枚の単台紙2aで挟んだ状態にして、貼着することにより冊子を形成することができる。
【００２９】
また図７は、図６に示す実施形態に係る台紙部22に単票紙５を貼着する状態を示す一部拡大断面図である。図６(ｂ)に示す実施形態の場合には、蛇腹状に折り畳んだ台紙用紙８の折曲部を介して連続した一対の単台紙2aに１枚の単票紙５を貼着させてあるのに対して、図７に示す実施形態では、折曲部を介して連続せずに隣接した一対の単台紙2aに１枚の単票紙５を貼着させてあるものである。図７に示す構造の方が、台紙部22が折曲部以外にも他の部分と貼着する部位が存することになって、冊子全体の強度が増加することになる。すなわち、図６(ｂ)に示すように、折曲部で連続した一対の単台紙2aで挟まれた部分に単票紙５を貼着する構造では、折曲部で連続した単台紙2aは、該折曲部において隣接する単台紙2a同士が貼着されている構造であるから、該折曲部における貼着が剥離してしまうと冊子が分解される可能性がある。これに対して、図７に示すように、折曲部が隣接している一対の単台紙2aで挟む位置に単票紙５を位置させて貼着すれば、折曲部が隣接している単台紙2aは、該折曲部と単票紙５とに貼着されているから、例えば折曲部における貼着が剥離しても、冊子としての形態は維持される。
【００３０】
前記台紙部用紙７、８には適宜な剛性を備えたものが好ましく、例えば坪量50〜80ｇ／cm2 程度のものが良好で、単票紙にＰＰＣ用紙が用いられる場合には、65ｇ／cm2 のトレーシングペーパーが良好であった。また、Ａ４版のＰＰＣ用紙の楽譜では、単台紙の幅員を約３cmとしたものが良好であった。なお、単票紙の大きさに応じて、単台紙の幅員を異ならせる。すなわち、単票紙が例えばＢ４版であれば該幅員を大きくし、Ｂ５版であれば幅員を小さくする。
【００３１】
図８は、他の実施形態に係るフォルダ主体40を示すもので、背表紙42示す分解斜視図である。背表紙42には係止部として合成樹脂製の細管45が貼着されており、この細管45には透明部材による背表紙カバー46が被せられている。該背表紙カバー46と細管45との間には間隙が設けられており、この間隙にフォルダ主体40の内容を記入できる標記用紙片47が挿抜可能とされている。なお、背表紙42には表表紙41と図示しない裏表紙とが連続している。前記細管45には、鈎部材48が係脱自在とされている。そして、この鈎部材48を前記細管45に挿入しながら、背表紙42を冊子とを挟持して、該冊子をフォルダ主体40に保持させることができるようにしてある。
【産業上の利用可能性】
【００３２】
本発明の活用例として、インターネットサイトからダウンロードして、印刷した楽譜や取扱説明書等、複数枚の単票紙に所望の情報が記載されたものを冊子状にし、該冊子をまとめてフォルダに保存させる場合に適している。
【図面の簡単な説明】
【００３３】
【図１】この発明に係る単票紙整理用フォルダの構成を説明する斜視図である。
【図２】この発明に係る単票紙整理用フォルダの台紙部の構造を説明する斜視図である。
【図３】この発明に係る単票紙整理用フォルダの台紙部に単票紙を貼着する状態を示す側面図である。
【図４】図３に示す側面図の一部拡大図である。
【図５】この発明に係る単票紙整理用フォルダの台紙部の構造の一の実施例を示す側面図であり、(ａ)に台紙部用紙を示し、(ｂ)にこの台紙部用紙から形成される台紙部を示している。
【図６】この発明に係る単票紙整理用フォルダの台紙部の構造の他の実施例を示す側面図であり、(ａ)に台紙部用紙を示し、(ｂ)にこの台紙部用紙から形成される台紙部を示している。
【図７】図６に示す実施形態における台紙部に単票紙を貼着する状態を示す図で、一部を拡大して示している。
【図８】この発明に係る単票紙整理用フォルダのフォルダ主体の構造の別の実施例を示す分解斜視図である。
【符号の説明】
【００３４】
１  単票紙整理用フォルダ
２  台紙部
2a  単台紙
３  フォルダ主体
４  鈎部材
５  単票紙
６  補強紙
７  台紙用紙
８  台紙用紙
９  係止部
21  台紙部
22  台紙部
23  単台紙
31  表表紙
32  背表紙
33  裏表紙
40  フォルダ主体
41  表表紙
42  背表紙
45  細管（係止部）
46  背表紙カバー
47  標記用紙片
48  鈎部材
【図１】
2005053140.tif 000003
【図２】
2005053140.tif 000004
【図３】
2005053140.tif 000005
【図４】
2005053140.tif 000006
【図５】
2005053140.tif 000007
【図６】
2005053140.tif 000008
【図７】
2005053140.tif 000009
【図８】
2005053140.tif 000010